(57)【要約】【課題】搬送中の蓄電装置への異物の付着を抑制すること。【解決手段】搬送装置３０の２つのコンベア３１は、搬送方向Ｘ１の分割箇所Ｃで離れて配設されている。２つのコンベア３１のうちの一方である上流コンベア４０は、分割箇所Ｃより搬送方向Ｘ１の上流側に位置するとともに、二次電池１０を載置可能なベルト４１とベルト４１を駆動するローラ４２とを有する。２つのコンベア３１のうちの他方である下流コンベア５０は、分割箇所Ｃより搬送方向Ｘ１の下流側に位置するとともに、二次電池１０を載置可能なベルト５１とベルト５１を駆動するローラ５２とを有する。上流コンベア４０及び下流コンベア５０は、搬送方向Ｘ１と同方向に駆動されつつ搬送方向Ｘ１で張設された共通のシート６０によって覆われている。ベルト４１，５１は、シート６０を介して二次電池１０を載置可能である。【選択図】図２
2020015563.tif 000002
【特許請求の範囲】
【請求項１】
蓄電装置を載置させた載置部を駆動部によって搬送方向に駆動することにより前記蓄電装置を前記搬送方向に搬送するコンベアを複数備える搬送装置であって、
複数の前記コンベアは、前記搬送方向の分割箇所で離れて配設されているとともに、前記搬送方向と同方向に駆動されつつ前記搬送方向で張設された共通のシートによって覆われており、
複数の前記コンベアの前記載置部は、前記シートを介して前記蓄電装置を載置可能であることを特徴とする搬送装置。
【請求項２】
前記分割箇所において、前記シートを介して前記蓄電装置を支持可能な支持部をさらに備える請求項１に記載の搬送装置。
【請求項３】
前記蓄電装置の外形は矩形箱状であり、
複数の前記コンベアのうち、前記分割箇所より前記搬送方向の上流側に位置するとともに、前記蓄電装置を載置可能な上流載置部と前記上流載置部を駆動する上流駆動部とを有する前記コンベアを上流コンベアとし、前記分割箇所より前記搬送方向の下流側に位置するとともに、前記蓄電装置を載置可能な下流載置部と前記下流載置部を駆動する下流駆動部とを有する前記コンベアを下流コンベアとすると、
前記上流載置部は前記搬送方向で間隔をもって突起する複数の上流突起部を備え、
前記下流載置部は前記搬送方向で間隔をもって突起する複数の下流突起部を備え、
前記上流コンベア及び前記下流コンベアは、前記上流突起部及び前記下流突起部が前記シートによって覆われており、
前記上流コンベアでは、前記蓄電装置を構成する壁部のうちの１つである第１壁部が前記シートに接触した状態で、前記上流突起部の間の前記上流載置部に前記蓄電装置が載置されつつ搬送され、
前記分割箇所では、前記シートのうち、前記分割箇所にて前記上流突起部と前記下流突起部との間に位置する間隙シート部に前記第１壁部が接触し、かつ前記蓄電装置が傾斜した状態で前記蓄電装置が搬送され、
前記下流コンベアでは、前記上流載置部に載置された状態の前記蓄電装置の前記壁部のうち、前記搬送方向で前記第１壁部より上流側、かつ前記第１壁部に直交する第２壁部が前記シートに接触した状態で、前記下流突起部の間の前記下流載置部に前記蓄電装置が載置されつつ搬送される請求項１又は請求項２に記載の搬送装置。
【請求項４】
前記シートは袋状であり、
複数の前記コンベアは、前記シートによって全体が覆われている請求項１〜請求項３のいずれか一項に記載の搬送装置。
【請求項５】
前記シートの内部は減圧されている請求項４に記載の搬送装置。
【発明の詳細な説明】
【技術分野】
【０００１】
本発明は、蓄電装置を搬送する搬送装置に関する。
【背景技術】
【０００２】
ＥＶ（Electric Vehicle）やＰＨＶ（Plug in Hybrid Vehicle）などの車両には、原動機となる電動機への供給電力を蓄える蓄電装置としてリチウムイオン電池などの二次電池が搭載されている。こうした二次電池の製造工程では、搬送装置によって二次電池が搬送される。搬送装置としては、例えば、二次電池を載置させた載置部を駆動部によって搬送方向に駆動することにより二次電池を搬送するコンベアを備えるものが知られている。
【０００３】
また、搬送装置のメンテナンスの容易性等を考慮して、長大な一つの搬送装置を用いるのではなく、特許文献１に記載の搬送装置のように、搬送方向に複数のコンベアを並べた搬送装置を採用することがある。こうした搬送装置によって二次電池を搬送する際、コンベアの分割箇所においては、例えば、分割箇所より搬送方向の上流側に位置する上流コンベアから、分割箇所より搬送方向の下流側に位置する下流コンベアへと二次電池が受け渡されることにより、二次電池が搬送される。
【先行技術文献】
【特許文献】
【０００４】
【特許文献１】特開平０３−１３４０９号公報
【発明の概要】
【発明が解決しようとする課題】
【０００５】
ところで、搬送装置では、コンベアにおける載置部と駆動部との間での摩耗によって異物が生じるおそれがある。異物が生じると、搬送中の二次電池の内外に異物が付着してしまい、二次電池の短絡の原因になるおそれがある。とくに、搬送方向の途中におけるコンベアの分割箇所から上記異物が吹き上がることにより、上記異物が載置部上の二次電池に付着しやすい。こうした点で、従来の搬送装置では改善の余地があった。
【０００６】
本発明は、上記課題を解決するためになされたものであって、その目的は、搬送中の蓄電装置への異物の付着を抑制できる搬送装置を提供することにある。
【課題を解決するための手段】
【０００７】
上記課題を解決する搬送装置は、蓄電装置を載置させた載置部を駆動部によって搬送方向に駆動することにより前記蓄電装置を前記搬送方向に搬送するコンベアを複数備える搬送装置であって、複数の前記コンベアは、前記搬送方向の分割箇所で離れて配設されているとともに、前記搬送方向と同方向に駆動されつつ前記搬送方向で張設された共通のシートによって覆われており、複数の前記コンベアの前記載置部は、前記シートを介して前記蓄電装置を載置可能であることを特徴とする。
【０００８】
上記構成によれば、複数のコンベアが共通のシートによって覆われることにより、各コンベアで異物が生じたとしても、その異物が各コンベアの載置部上の蓄電装置に付着しにくくなる。また、シートによっては、分割箇所も覆われるようになる。このため、分割箇所からの異物の吹き上がりを抑制することができる。したがって、搬送中の蓄電装置への異物の付着を抑制できる。
【０００９】
搬送装置について、前記分割箇所において、前記シートを介して前記蓄電装置を支持可能な支持部をさらに備えることが好ましい。
上記構成によれば、コンベアが存在しない分割箇所において、支持部によって蓄電装置を支持することにより搬送される蓄電装置の上下動を抑制することができる。したがって、蓄電装置を安定して搬送させることができる。
【００１０】
搬送装置について、前記蓄電装置の外形は矩形箱状であり、複数の前記コンベアのうち、前記分割箇所より前記搬送方向の上流側に位置するとともに、前記蓄電装置を載置可能な上流載置部と前記上流載置部を駆動する上流駆動部とを有する前記コンベアを上流コンベアとし、前記分割箇所より前記搬送方向の下流側に位置するとともに、前記蓄電装置を載置可能な下流載置部と前記下流載置部を駆動する下流駆動部とを有する前記コンベアを下流コンベアとすると、前記上流載置部は前記搬送方向で間隔をもって突起する複数の上流突起部を備え、前記下流載置部は前記搬送方向で間隔をもって突起する複数の下流突起部を備え、前記上流コンベア及び前記下流コンベアは、前記上流突起部及び前記下流突起部が前記シートによって覆われており、前記上流コンベアでは、前記蓄電装置を構成する壁部のうちの１つである第１壁部が前記シートに接触した状態で、前記上流突起部の間の前記上流載置部に前記蓄電装置が載置されつつ搬送され、前記分割箇所では、前記シートのうち、前記分割箇所にて前記上流突起部と前記下流突起部との間に位置する間隙シート部に前記第１壁部が接触し、かつ前記蓄電装置が傾斜した状態で前記蓄電装置が搬送され、前記下流コンベアでは、前記上流載置部に載置された状態の前記蓄電装置の前記壁部のうち、前記搬送方向で前記第１壁部より上流側、かつ前記第１壁部に直交する第２壁部が前記シートに接触した状態で、前記下流突起部の間の前記下流載置部に前記蓄電装置が載置されつつ搬送されることが好ましい。
【００１１】
蓄電装置の製造工程によっては、搬送装置による搬送前と搬送後とで蓄電装置の姿勢を変更することがある。上記構成によれば、コンベアの分割箇所から下流コンベアへと蓄電装置が搬送されるにつれて、蓄電装置の姿勢が転回される。そして、下流コンベアで搬送される蓄電装置は、上流コンベアで搬送される蓄電装置の姿勢から９０°転回した姿勢となる。したがって、蓄電装置の搬送を行いながら蓄電装置の姿勢を変更することができるため、搬送装置による搬送後に蓄電装置の姿勢を変更する工程を省略することができる。
【００１２】
搬送装置について、前記シートは袋状であり、複数の前記コンベアは、前記シートによって全体が覆われていることが好ましい。
上記構成によれば、シートによって複数のコンベアが搬送中の蓄電装置から隔離されるため、蓄電装置への異物の付着をさらに抑制することができる。
【００１３】
搬送装置について、前記シートの内部は減圧されていることが好ましい。
コンベアの載置部上でシートにしわやたるみが生じていると、蓄電装置の搬送中において載置部に載置される蓄電装置の姿勢が不安定になるおそれがある。上記構成によれば、シートの内部が減圧されることにより、シートが載置部の表面に沿うようになる。したがって、載置部上でシートにしわやたるみが生じにくくなるため、載置部上に蓄電装置を安定した姿勢で載置させながら蓄電装置を搬送することができる。
【発明の効果】
【００１４】
この発明によれば、搬送中の蓄電装置への異物の付着を抑制できる。
【図面の簡単な説明】
【００１５】
【図１】実施形態の二次電池に示す斜視図。
【図２】二次電池を搬送する搬送装置を模式的に示す図。
【図３】シートを模式的に示す図。
【図４】搬送装置によって二次電池を搬送する様子を模式的に示す図。
【図５】搬送装置によって二次電池を搬送する様子を模式的に示す図。
【図６】搬送装置によって二次電池を搬送する様子を模式的に示す図。
【発明を実施するための形態】
【００１６】
以下、搬送装置を具体化した一実施形態について図１〜図６を用いて説明する。
図１に示すように、蓄電装置としての二次電池１０は、矩形箱状のケース１１と、ケース１１に収容された電極組立体１２とを備える。ケース１１は、直方体状のケース本体２０と、ケース本体２０の開口部２０ａを閉塞する矩形平板状の蓋２５とを有する。ケース本体２０は、矩形板状の底壁２１と、底壁２１の一対の長側縁部から立設方向Ｘ２に立設された長側壁２２と、底壁２１の一対の短側縁部から立設方向Ｘ２に立設された短側壁２３とを有する。ケース本体２０において、底壁２１が長側壁２２及び短側壁２３に対して直交している。ケース１１を構成するケース本体２０と蓋２５は、何れも金属製（例えば、ステンレスやアルミニウム）である。また、本実施形態の二次電池１０は、その外観が角型をなす角型電池である。また、本実施形態の二次電池１０は、リチウムイオン電池である。
【００１７】
電極組立体１２は、正極電極と負極電極との間にセパレータを介在させ、かつ相互に絶縁させた状態で積層した層状構造を有する。正極電極の縁部からは正極タブが突出しており、負極電極の縁部からは負極タブが突出している。また、二次電池１０は、電極組立体１２から電気を取り出すための正極端子２７及び負極端子２８を備える。正極端子２７及び負極端子２８は、蓋２５の貫通孔を貫通してケース１１外に突出する。正極端子２７及び負極端子２８には、蓋２５と絶縁するためのリング状の絶縁リング２９がそれぞれ取り付けられている。正極端子２７には正極タブが電気的に接続され、負極端子２８には負極タブが電気的に接続されている。
【００１８】
次に、搬送装置３０について説明する。搬送装置３０は、二次電池１０を搬送する装置である。
図２に示すように、搬送装置３０においては、ケース１１の下面が搬送方向Ｘ１に沿うように二次電池１０が載置されて、二次電池１０が搬送される。搬送装置３０は２つのコンベア３１を備えており、２つのコンベア３１は搬送方向Ｘ１の分割箇所Ｃで離れて配設されている。２つのコンベア３１のうち、分割箇所Ｃより搬送方向Ｘ１の上流側に位置するコンベア３１を上流コンベア４０とし、分割箇所Ｃより搬送方向Ｘ１の下流側に位置するコンベア３１を下流コンベア５０とする。
【００１９】
上流コンベア４０は、二次電池１０を載置可能な上流載置部としてのベルト４１と、ベルト４１を駆動する上流駆動部としての一対のローラ４２と、を有する。一対のローラ４２は、搬送方向Ｘ１に互いに離れて配置されている。また、一対のローラ４２は、搬送される二次電池１０のケース１１の下面に沿う方向であって、搬送方向Ｘ１と直交する方向（以下、単に直交方向Ｙという）に延びる円柱状である。一対のローラ４２の直交方向Ｙにおける長さは、二次電池１０の長側壁２２の幅Ｗ（図１）の大きさと同程度である。ベルト４１は、樹脂製であり、一対のローラ４２に架け渡されている。また、ベルト４１の直交方向Ｙにおける幅は、一対のローラ４２の直交方向Ｙにおける長さと同様に、二次電池１０の長側壁２２の幅Ｗの大きさと同程度である。直交方向Ｙにおいて、ベルト４１の一端から他端がローラ４２によって支持されている。
【００２０】
ベルト４１は、搬送方向Ｘ１で間隔をもって突起する複数の上流突起部４３を備える。複数の上流突起部４３の間隔は、全て等間隔であり、ケース１１の立設方向Ｘ２における長さＨより若干大きく設定されている。上流コンベア４０においては、搬送方向Ｘ１で隣り合う上流突起部４３の間において、立設方向Ｘ２が搬送方向Ｘ１に沿うように二次電池１０が載置される。またケース本体２０における第１壁部としての長側壁２２の外面が下面となるように、ベルト４１上に二次電池１０が載置される。なお、ベルト４１上に二次電池１０が載置された状態では、ケース本体２０の底壁２１、長側壁２２、短側壁２３、及び蓋２５のうち、底壁２１が搬送方向Ｘ１の最も上流側に位置している。上流コンベア４０によって搬送される二次電池１０は、上流突起部４３によって搬送方向Ｘ１での位置がずれにくくなっている。
【００２１】
下流コンベア５０は、二次電池１０を載置可能な下流載置部としてのベルト５１と、ベルト５１を駆動する下流駆動部としての一対のローラ５２と、を有する。ベルト５１は上流コンベア４０のベルト４１と同じ構成であり、ローラ５２は上流コンベア４０のローラ４２と同じ構成である。そのためベルト５１及びローラ５２についての説明は省略する。
【００２２】
ベルト５１は、搬送方向Ｘ１で間隔をもって突起する複数の下流突起部５３を備える。複数の下流突起部５３の間隔は、全て等間隔であり、ケース本体２０の底壁２１の短側縁部が延びる方向における長さＤより若干大きく設定されている。この複数の下流突起部５３の間隔は、上記の複数の上流突起部４３の間隔よりも小さい。下流コンベア５０においては、搬送方向Ｘ１で隣り合う下流突起部５３の間において、立設方向Ｘ２が搬送方向Ｘ１に直交するように二次電池１０が載置される。またケース本体２０における第２壁部としての底壁２１の外面が下面となるように、ベルト５１上に二次電池１０が載置される。下流コンベア５０によって搬送される二次電池１０は、下流突起部５３によって搬送方向Ｘ１での位置がずれにくくなっている。なお、搬送方向Ｘ１における分割箇所Ｃの大きさ、言い換えると搬送方向Ｘ１における上流コンベア４０と下流コンベア５０との間隔の大きさは、上流突起部４３及び下流突起部５３の双方が同時に通り抜け可能な程度に設定されている。
【００２３】
搬送方向Ｘ１における上流コンベア４０と下流コンベア５０との間には、支持部としての支持ローラ５５が設けられている。支持ローラ５５は直交方向Ｙに延びる円柱状であり、支持ローラ５５の直交方向Ｙにおける長さは二次電池１０の長側壁２２の幅Ｗ（図１）の大きさと同程度である。また、支持ローラ５５は、直交方向Ｙに延びる直線Ｐ（図２では点で図示）を中心に回転可能に固定されている。こうした支持ローラ５５によっては、分割箇所Ｃにおいて二次電池１０を支持可能となっている。
【００２４】
上流コンベア４０、下流コンベア５０、及び支持ローラ５５は、共通のシート６０によって覆われている。図３に示すように、本実施形態のシート６０の搬送面は、延伸多孔質ポリテトラフルオロエチレン（ｅＰＴＦＥ）６０ａがステントワイヤ６０ｂによって補強されたものである。このシート６０においては、長さ方向Ｓ１で伸縮しにくくなっている一方で、幅方向Ｓ２で伸縮しやすくなっている。この長さ方向Ｓ１が搬送方向Ｘ１と沿うように、シート６０は配設されている。
【００２５】
図２に示すように、シート６０は、上流突起部４３の外側から上流コンベア４０を覆っているとともに、下流突起部５３の外側から下流コンベア５０を覆っている。また、シート６０は長尺な帯状シートの両端をつなげ、環状に形成したものであり、上流コンベア４０、下流コンベア５０、及び支持ローラ５５の全体がシート６０によって覆われている。シート６０は、直交方向Ｙに延びる円柱状をなす複数の（図２では４つの）ローラ６１によって内側から支持されている。このローラ６１によって形成されたシート６０の内部空間に、上流コンベア４０、下流コンベア５０、及び支持ローラ５５が配置される。そして、ローラ６１が回転駆動されることにより、搬送方向Ｘ１と同方向にシート６０が駆動される。
【００２６】
また、シート６０は引張機構６５によって搬送方向Ｘ１に沿って引張されるとともに、シート６０の内部が減圧されている。これにより、上流コンベア４０、下流コンベア５０、及び支持ローラ５５の上部において、これらの表面に沿うようにシート６０が張設されている。そして、上流コンベア４０においては、シート６０を介して二次電池１０がベルト４１上に載置される。下流コンベア５０においては、シート６０を介して二次電池１０がベルト５１上に載置される。また、シート６０のうちで分割箇所Ｃに位置する部分である間隙シート部６０ｃを介して、支持ローラ５５は二次電池１０を支持する。
【００２７】
なお、上流コンベア４０の上部において、ベルト４１上に二次電池１０が載置されない状態では、シート６０が隣り合う上流突起部４３で引張される形になるため、シート６０が上流突起部４３の表面に沿うようになる。上流コンベア４０の上部において、ベルト４１上に二次電池１０が載置されると、二次電池１０の重さを受けて、シート６０が上流突起部４３及びベルト４１の表面に沿うようになる。また、同様に、下流コンベア５０の上部においても、ベルト５１上に二次電池１０が載置されない状態では、シート６０が隣り合う下流突起部５３で引張される形になるため、シート６０が下流突起部５３の表面に沿うようになる。下流コンベア５０の上部においても、ベルト５１上に二次電池１０が載置されると、二次電池１０の重さを受けて、シート６０が下流突起部５３及びベルト５１の表面に沿うようになる。また、シート６０においては、間隙シート部６０ｃよりも搬送方向Ｘ１の上流側が上流コンベア４０の上流突起部４３によって引張されるとともに、間隙シート部６０ｃよりも搬送方向Ｘ１の下流側が下流コンベア５０の下流突起部５３によって引張される。これにより、間隙シート部６０ｃは、分割箇所Ｃにおいて搬送方向Ｘ１に沿って張設される。
【００２８】
次に、搬送装置３０による二次電池１０の搬送方法について、作用と合わせて説明する。
搬送装置３０による二次電池１０の搬送に際しては、上流コンベア４０のうち、搬送方向Ｘ１における上流端部のベルト４１上に二次電池１０を載置させる。このとき、二次電池１０は、搬送方向Ｘ１で隣り合う上流突起部４３の間において、立設方向Ｘ２が搬送方向Ｘ１に沿うとともにケース本体２０の長側壁２２の外面が下面となるように、シート６０を介してベルト４１上に載置される。そして、ベルト４１及びシート６０の駆動に伴って、二次電池１０が搬送方向Ｘ１に搬送される。なお、上流コンベア４０では、搬送方向Ｘ１における上流端部のベルト４１上に所定周期毎に二次電池１０を載置させることにより、搬送方向Ｘ１で隣り合う上流突起部４３の間に二次電池１０が順次載置される。
【００２９】
図４に示すように、上流コンベア４０の搬送方向Ｘ１の下流端部にまで搬送された二次電池１０は、間隙シート部６０ｃを介して支持ローラ５５によって支持されるようになる。支持ローラ５５は、シート６０の駆動によって支持ローラ５５の上部が搬送方向Ｘ１に沿って駆動する方向（図４では時計回り方向）に移動していくように回転しながら、二次電池１０を支持する。二次電池１０が部分的に上流コンベア４０のベルト４１上に位置している間は、二次電池１０は立設方向Ｘ２が搬送方向Ｘ１と沿うような姿勢で搬送される。そして、このときの二次電池１０は、ケース本体２０の長側壁２２が間隙シート部６０ｃに接触している。
【００３０】
図５に示すように、さらに二次電池１０の搬送が進むと、間隙シート部６０ｃ上で二次電池１０が傾斜した状態となる。このとき、二次電池１０は、ケース本体２０の長側壁２２が間隙シート部６０ｃに接触しつつ、シート６０の駆動によって搬送方向Ｘ１に搬送される。また、二次電池１０が支持ローラ５５の上部に位置する間は、二次電池１０が間隙シート部６０ｃを介して支持ローラ５５によって支持されつつ搬送される。そして、分割箇所Ｃから下流コンベア５０へと二次電池１０が搬送されるにつれて、二次電池１０の姿勢が転回される。このとき、搬送方向Ｘ１においてベルト５１の上流端部に位置した下流突起部５３が支持ローラ５５より上側にあるため、間隙シート部６０ｃが支持ローラ５５より上へ傾斜した状態に引張される。その結果、間隙シート部６０ｃに載置された二次電池１０が傾き、転回される。
【００３１】
なお、搬送方向Ｘ１における分割箇所Ｃの大きさは、上流突起部４３及び下流突起部５３の双方が同時に通り抜け可能な程度に設定されているため、分割箇所Ｃの大きさによっては、搬送方向Ｘ１において上流コンベア４０と下流コンベア５０とが二次電池１０の大きさ程度に間隔があくおそれがある。しかしながら、こうした分割箇所Ｃに間隙シート部６０ｃが位置することにより、この間隙シート部６０ｃによって二次電池１０を支持しながら搬送することが可能となるため、分割箇所Ｃで二次電池１０が落下するおそれがない。
【００３２】
図６に示すように、さらに二次電池１０の搬送が進むと、二次電池１０の全体が下流コンベア５０のベルト５１上に載置された状態になる。このとき二次電池１０は、下流突起部５３によって搬送方向Ｘ１で隣り合う下流突起部５３の間に押し込まれる形となり、ケース本体２０の底壁２１の外面が下面となるように、シート６０を介してベルト５１上に載置される。こうして下流コンベア５０のベルト５１上で搬送される二次電池１０は、上流コンベア４０のベルト４１上で搬送される二次電池１０の姿勢から９０°転回した姿勢となる。そして、下流コンベア５０においても、ベルト５１及びシート６０の駆動に伴って、二次電池１０が搬送方向Ｘ１に搬送される。なお、下流コンベア５０では、搬送方向Ｘ１における下流端部において、二次電池１０がベルト５１上から回収される。
【００３３】
上記実施形態では以下の効果を得ることができる。
（１−１）上流コンベア４０及び下流コンベア５０が共通のシート６０によって上部が覆われることにより、上流コンベア４０や下流コンベア５０で異物が生じたとしても、その異物がベルト４１，５１上の二次電池１０に付着しにくくなる。また、シート６０によっては、上流コンベア４０と下流コンベア５０との間の部分である分割箇所Ｃも覆われるようになる。このため、分割箇所Ｃからの異物の吹き上がりを抑制することができる。したがって、搬送中の二次電池１０への異物の付着を抑制できる。
【００３４】
（１−２）コンベア３１が存在しない分割箇所Ｃにおいて、支持ローラ５５によって二次電池１０を支持することにより搬送される二次電池１０の上下動を抑制することができる。したがって、二次電池１０を安定して搬送させることができる。
【００３５】
（１−３）二次電池１０の製造工程によっては、搬送装置３０による搬送前と搬送後とで二次電池１０の姿勢を変更することがある。上記実施形態によれば、二次電池１０の搬送を行いながら二次電池１０の姿勢を変更することができるため、搬送装置３０による搬送後に二次電池１０の姿勢を変更する工程を省略することができる。
【００３６】
（１−４）上流コンベア４０のベルト４１上や下流コンベア５０のベルト５１上でシート６０にしわやたるみが生じていると、二次電池１０の搬送中においてベルト４１，５１に載置される二次電池１０の姿勢が不安定になるおそれがある。上記実施形態によれば、シート６０の内部が減圧されることにより、シート６０がベルト４１，５１の表面に沿うようになる。したがって、ベルト４１，５１上でシート６０にしわやたるみが生じにくくなるため、ベルト４１，５１上に二次電池１０を安定した姿勢で載置させながら二次電池１０を搬送することができる。
【００３７】
なお、上記実施形態は、以下のように変更して実施することができる。上記実施形態及び以下の変更例は、技術的に矛盾しない範囲で互いに組み合わせて実施することができる。
【００３８】
○  引張機構６５によるシート６０の引張によって、二次電池１０の搬送に支障がない程度に上流コンベア４０のベルト４１上や下流コンベア５０のベルト５１上でのシート６０でしわやたるみを抑制できるのであれば、シート６０の内部の減圧は行わなくてもよい。
【００３９】
○  シート６０は一枚の長尺状のシートを環状にしたものではなく、例えば、袋状であってもよく、例えば環状ではない一枚の長尺状であってもよい。袋状の場合、例えば、搬送面の側面の周囲を延伸多孔質ポリテトラフルオロエチレンをシールすることで袋状に形成する。この形態においては、シートによって複数のコンベアが搬送中の蓄電装置から隔離されるため、蓄電装置への異物の付着をさらに抑制できる。
【００４０】
○  シート６０は、伸縮性を有する材質からなるものであればよく、例えばステントワイヤ６０ｂによって補強されたものでなくてもよいし、延伸多孔質ポリテトラフルオロエチレン（ｅＰＴＦＥ）６０ａからなるものでなくてもよい。
【００４１】
○  分割箇所Ｃにおいて、シート６０を介して二次電池１０の支持が可能な支持部であれば、支持ローラ５５にかえて分割箇所Ｃに設けることが可能である。なお、この形態の支持部は、ローラ形状でなくてもよいし、支持ローラ５５のように回転可能でなくてもよい。
【００４２】
○  支持ローラ５５等の支持部を省略してもよい。
○  ベルト４１，５１は、金属製であってもよい。また、上流コンベア４０及び下流コンベア５０は、ベルト４１，５１にかえて複数のローラを備え、その複数のローラ上に二次電池１０を載置しつつ二次電池１０を搬送可能なローラコンベアであってもよい。
【００４３】
○  二次電池１０において、電極組立体の構造は限定されるものではない。例えば、矩形箱状のケース１１に収まるものであるならば、積層型の電極組立体ではなく、捲回型の電極組立体であってもよく、タブも必須ではない。
【００４４】
○  二次電池１０のケース１１は、ケース本体２０の底壁２１及び蓋２５が正方形状、平行四辺形、台形、菱形等の四角箱状であってもよいし、ケース本体２０の底壁２１及び蓋２５が円形状等の四角箱状以外の形状であってもよい。なお、こうしたケース１１の形状の変更に応じて、上流コンベア４０における複数の上流突起部４３の間隔や、下流コンベア５０における複数の下流突起部５３の間隔を適宜変更することが好ましい。
【００４５】
○  上流コンベア４０において、ケース本体２０の底壁２１や短側壁２３が下面となるように二次電池１０をベルト４１上に載置させてもよい。この形態では、上流コンベア４０にて搬送される二次電池１０において下面となるケース本体２０の壁部に応じて、下流コンベア５０にて搬送される二次電池１０で下面となるケース本体２０の壁部が変更される。
【００４６】
○  分割箇所Ｃから下流コンベア５０へと二次電池１０が搬送される際に二次電池１０の姿勢の転回をせず、上流コンベア４０と下流コンベア５０とで二次電池１０を同じ姿勢で搬送させるようにしてもよい。
【００４７】
○  搬送装置３０は、搬送方向Ｘ１の途中で２つ以上の分割箇所を有する３つ以上のコンベアを備えたものでもよい。この形態でも、すべてのコンベア及び分割箇所を共通のシート６０で覆うことにより二次電池１０への異物の付着を抑制できる。
【００４８】
○  二次電池１０を安定した状態で搬送可能であれば、ベルト４１上の上流突起部４３や、ベルト５１上の下流突起部５３を省略してもよい。
○  蓄電装置は、二次電池でなく、電気二重層キャパシタ等の他の蓄電装置に適用してもよい。
【００４９】
○  二次電池は、リチウムイオン電池であったが、これに限らず、他の二次電池であってもよい。
【符号の説明】
【００５０】
Ｃ…分割箇所、Ｘ１…搬送方向、１０…二次電池、３０…搬送装置、３１…コンベア、４０…上流コンベア、４１…（上流コンベアの）ベルト、４２…（上流コンベアの）ローラ、４３…上流突起部、５０…下流コンベア、５１…（下流コンベアの）ベルト、５２…（下流コンベアの）ローラ、５３…下流突起部、６０…シート、６０ｃ…間隙シート部。
【図１】
2020015563.tif 000003
【図２】
2020015563.tif 000004
【図３】
2020015563.tif 000005
【図４】
2020015563.tif 000006
【図５】
2020015563.tif 000007
【図６】
2020015563.tif 000008